(57)【特許請求の範囲】
【請求項１】
データ項目の入力値から出力値を解析するデータ入力支援装置において、
感度解析を行うための前記入力値の基準値を計算して解析条件を作成する解析条件作成手段と、
前記基準値に基づいて出力値に与える影響を評価する感度解析を行う解析手段と、
前記感度解析の結果に基づいて入力するデータ項目の優先順位を付与する優先順位評価手段と、
前記基準値は、前記入力値が固定値のときは前記固定値、前記入力値が変化範囲のときは前記変化範囲に含まれる値であることを特徴とするデータ入力支援装置。
【請求項２】
請求項１に記載のデータ入力支援装置において、
前記出力値に与える影響を表示するための画像表示信号、又は前記優先順位を表示するための画像表示信号の内少なくとも一つを出力することを特徴とするデータ入力支援装置。
【請求項３】
請求項１に記載したデータ入力支援装置において、
前記出力値には、コスト、機器寿命、収率又は純度の内少なくとも１つを含むことを特徴とするデータ入力支援装置。
【請求項４】
請求項１に記載したデータ入力支援装置において、
前記優先順位評価手段は、前記感度解析の結果に加え、各データの属性に基づいて前記優先順位を評価することを特徴とするデータ入力支援装置。
【請求項５】
請求項１に記載したデータ入力支援装置において、
前記解析条件作成手段は、プラントの機器仕様が保存されている設計情報データベースの情報を用いて前記解析条件を作成することを特徴としたデータ入力支援装置。
【請求項６】
請求項１に記載したデータ入力支援装置において、
前記解析条件作成手段は、センサーの計測誤差又は計測値を推定したときの誤差に基づいて前記解析条件を作成することを特徴としたデータ入力支援装置。
【請求項７】
請求項１に記載のデータ入力支援装置において、
前記解析手段は、プラント機器の性能劣化がプラント全体の効率低下に影響する度合いを計算する効率計算モデルと、前記効率低下に伴う運転コストの増加幅を計算するコスト計算モデルとで構成することを特徴としたデータ入力支援装置。
【請求項８】
請求項７に記載したデータ入力支援装置において、
前記データ項目は圧縮機仕様情報、膨張機仕様情報、発電機仕様情報、排熱回収ボイラ仕様情報の内少なくとも一つを含むことを特徴とするデータ入力支援装置。
【請求項９】
請求項８に記載したデータ入力支援装置において、
前記圧縮機仕様情報は、圧縮機効率が算出可能な圧縮機の物理的形状の情報であることを特徴とするデータ入力支援装置。
【請求項１０】
請求項８に記載したデータ入力支援装置において、
前記排熱回収ボイラ仕様情報は、熱交換器の伝熱面積、熱交換器を構成するチューブの間隔又はチューブ半径の情報が含まれることを特徴とするデータ入力支援装置。
【請求項１１】
データ項目の入力値から出力値を解析するデータ入力支援方法において、
データ入力支援装置が、
感度解析を行うための前記入力値の基準値を計算して解析条件を作成し、
前記基準値に基づいて出力値に与える影響を評価する感度解析を行い、前記感度解析の結果に基づいて入力するデータ項目の優先順位を付与し、
前記基準値は、前記入力値が固定値のときは前記固定値、前記入力値が変化範囲のときは前記変化範囲に含まれる値であることを特徴とするデータ入力支援方法。
【請求項１２】
請求項１１に記載のデータ入力支援方法において、
データ入力支援装置が、
前記出力値に与える影響を表示するための画像表示信号、又は前記優先順位を表示するための画像表示信号の内少なくとも一つを出力することを特徴とするデータ入力支援方法。
【発明の詳細な説明】
【技術分野】
【０００１】
本発明は、データ項目の入力値から出力値を解析し、運用事業者のデータ入力支援を行うデータ入力支援装置、及び方法に関する。
【背景技術】
【０００２】
近年、パソコン、スマートフォンなどの電子機器にデータを入力し、所望の計算結果を得るシステムが増加している。これらのシステムには入力されたデータに基づいて計算結果を出力する解析手段が搭載されており、ユーザーはモデルの動作に必要なデータを入力する必要がある。
【０００３】
本技術に関連する従来技術として、例えば特許文献１にはプラント構成機器の性能劣化状態を評価し、発電プラントの効率的な運用支援を可能とした運用支援システムに関する技術が公開されている。本技術では解析手段としてプラント構成機器の性能値を計算するモデル、プラントのヒートバランスを計算するモデルが搭載されており、これらのモデルを動作させるにはプラントの設計データが必要である。
【０００４】
また、特許文献２には、企業従業員の退職金を計算するシステムに関する技術が公開されている。本技術では、退職金を計算するために現在給与や昇給指数などのデータが必要である。
【先行技術文献】
【特許文献】
【０００５】
【特許文献１】特開２００４−２１１５８７号公報
【特許文献２】特開２００２−１０９２０１号公報
【発明の概要】
【発明が解決しようとする課題】
【０００６】
上記に述べた解析手段を動作させて、高精度な解析結果を得るためには、データの値を正確に入力する必要がある。しかし、正確な情報を入手するには、時間・費用が必要であり、不確かな情報しか取得できない場合もある。
【０００７】
例えば、発電プラントの設計データについては、プラント運用事業者とプラント設計事業者が異なる場合、プラント運用事業者が保有できる設計データはプラント設計事業者が保有する設計データと比較して限定されたものとなる。プラント運用事業者が特許文献１の技術を用いる場合は、各入力データが解析手段の出力結果に与える影響を把握し、入手する優先順位の高いデータ項目を特定することが重要となる。また、プラント設備の部品交換の保守により設計データは変化するが、これを正確に把握することが困難である場合も少なくない。この場合、入力データの不確かさが解析手段の出力結果に与える影響を把握することが重要となる。
【０００８】
また、退職金計算のための昇給指数などは企業業績や経済環境によって変化する可能性があるため、この値を正確に把握することは困難である。このような場合も、入力データの不確かさが解析手段の出力結果に与える影響を把握することが重要となる。
【０００９】
本発明の目的は、入力データの不確かさが解析手段の出力結果に与える影響を明らかとし、入力する優先順位の高いデータ項目を特定するための情報を提供することにある。
【課題を解決するための手段】
【００１０】
上記課題を解決する為に本発明は、データ項目の入力値から出力値を解析するデータ入力支援装置において、前記データ項目の入力値の変化範囲に基づいて出力値に与える影響を評価する感度解析を行う解析手段と、前記感度解析の結果に基づいて入力するデータ項目の優先順位を評価する優先順位評価手段と、を備えることを特徴とする。
【発明の効果】
【００１１】
入力データの変化が解析手段の出力値に与える影響を把握でき、入手する優先順位の高いデータ項目を特定できる。 
【図面の簡単な説明】
【００１２】
【図１】本発明の第１の実施例であるデータ入力支援装置を説明するブロック図である。
【図２】データ入力支援装置の初期動作、解析実行ボタンをクリックした時の動作、優先順位並べ替えボタンをクリックした時のデータ入力支援装置の動作フローチャート図である。
【図３】データ入力支援装置データベースに保存されるデータの態様を説明する図と、解析条件作成手段の動作を説明するフローチャート図である。
【図４】本発明の第２の実施例であるデータ入力支援装置を説明するブロック図と、発電プラントの構成を説明するブロック図である。
【図５】解析手段の動作を説明するフローチャート図と、累積損失コストの経時変化を示す図である。
【図６】排熱回収ボイラの構成と、データ入力支援装置データベースに保存されているデータの態様を説明する図である。
【図７】解析条件作成手段の動作フローチャートを説明する図と、センサコストと評価誤差の関係を示す図である。
【図８】本発明の第３の実施例であるデータ入力支援装置における優先順位並べ替え手段の動作を説明するフローチャート図と、データ入力支援装置データベースに保存されるデータの態様を説明する図である。
【発明を実施するための形態】
【００１３】
以下、本発明の実施に好適な実施例について説明する。尚、下記はあくまでも実施の例に過ぎず、下記具体的内容に発明自体が限定されることを意図する趣旨ではない。
【実施例１】
【００１４】
図１は本発明の第１の実施例であるデータ入力支援装置を説明するブロック図である。データ入力支援装置４００は、画面表示装置１００と外部入力装置９００と接続しており、画面表示装置１００に表示されている情報と、外部入力装置１００を用いてデータを入力することを支援する。
【００１５】
データ入力支援装置４００にはデータ入出力インターフェイス４１０が備えられており、データ入出力インターフェイスを介して外部入力装置９００で生成した外部入力信号１を受信し、画面表示装置２００と画面表示信号２を送受信する。外部入力装置９００では、キーボード９１０とマウス９２０を用いて外部入力信号１を生成する。
【００１６】
画面表示装置２００には、出力値表示画面１１０、データ項目表示画面２００、動作コマンド表示画面３００が表示される。データ項目表示画面２００は、データNOを示すデータ列２１０、項目を示すデータ列２２０、入力値を示すデータ列２３０、出力変動幅を示すデータ列２６０で構成され、入力値を示すデータ列２３０は固定値を入力するデータ列２４０と変化範囲を入力するデータ列２５０で構成される。ユーザーは、データ列２２０に表示されているデータ項目の値について、固定値を設定できる場合にはデータ列２４０にその値を入力し、正確な値が不明であるがその変化範囲を設定できる場合にはデータ列２５０にその変化範囲を入力する。
【００１７】
このように、ユーザーはデータ項目表示画面２００に出力値を計算するのに必要な情報を入力し、動作コマンド表示画面３００に表示されている解析実行ボタン３１０をクリックする。計算結果は出力値表示画面１１０に表示される。また、動作コマンド表示画面３００に表示されている優先順位並べ替えボタン３２０をクリックすることで、データ入力項目表示画面２００に表示される情報の順番が、優先順位の高い順番に並べ替えられる。
【００１８】
尚、データ入力支援装置の初期動作、解析実行ボタン３１０をクリックした時の動作、優先順位並べ替えボタン３２０をクリックした時の動作は、図２を用いて後述する。
【００１９】
データ入力支援装置４００には、演算装置として解析条件作成手段５００、解析手段６００、優先順位評価手段７００を備える。また、データ入力支援装置４００にはデータベースとしてデータ入力支援装置データベース８００を備える。尚、図面ではデータベースをＤＢと略記している。
【００２０】
データ入力支援データベース８００には電子化された情報を保存しており、通常電子ファイル（電子データ）と呼ばれる形態で情報を保存する。
【００２１】
データ入力支援データベース８００には、画面表示装置１００に対して外部入力装置９００で入力した情報と、解析条件作成手段５００と解析手段６００と優先順位評価手段７００を動作させるために必要な情報と、解析条件作成手段５００と解析手段６００と優先順位評価手段７００を動作させた結果として得られる情報とで構成するデータ入力支援装置情報４０１が保存されている。
【００２２】
解析条件作成手段５００では、入力値が変化範囲の間で変化することが出力値に与える影響を評価するために必要な解析条件、すなわち感度解析のための解析条件を作成する。解析手段６００では、解析条件作成手段５００で作成した解析条件に従って、出力値を計算する。優先順位評価手段７００では、入力すべきデータ項目の優先順位を評価する。例えば、各データ項目の感度、すなわち出力変動幅の大きい順番にデータ項目を並べ替える。
【００２３】
入力データの不確かさがモデルの出力値に与える影響を把握でき、入手する優先順位の高いデータ項目を特定できる。 また、入手すべきデータ項目が明確になり、必要な設計情報が明確になり、情報収集に要する時間を短縮できる効果がある。
【００２４】
なお、本実施例のデータ入力支援装置４００においては、解析条件作成手段５００、解析手段６００、優先順位評価手段７００、データ入力支援装置データベース８００がデータ入力支援装置４００の内部に備えられているが、これらの一部の装置をデータ入力支援装置４００の外部に配置し、データのみを装置間で通信するようにしてもよい。
【００２５】
また、データ入力支援装置４００に設置されたデータ入力支援装置データベース８００に保存されている情報は、図１に示したデータ内容に限らず、その全ての情報を画面表示装置１００に表示でき、これらの情報は外部入力装置９００を操作して生成する外部入力信号１で修正することができる。
【００２６】
本実施例では、外部入力装置９００をキーボードとマウスで構成しているが、音声入力のためのマイク、タッチパネルなど、データを入力するための装置であれば良い。
【００２７】
また、本発明の実施形態として、データ入力支援方法、データ入力支援装置４００を動作させて得られた情報を提供する情報提供サービスとしても実施可能であることは言うまでもない。
【００２８】
図２はデータ入力支援装置の初期動作、解析実行ボタン３１０をクリックした時の動作、優先順位並べ替えボタン３２０をクリックした時のデータ入力支援装置４００の動作フローチャート図である。
【００２９】
図２（ａ）は、データ入力支援装置４００の初期動作を説明するフローチャート図である。ステップ２０００では、解析手段６００を動作させるために必要なデータ項目を抽出する。ステップ２０１０では、ステップ２０００で抽出したデータ項目を データ入力支援装置データベース８００に保存する。ステップ２０２０では、データ入力支援装置データベース８００に保存された情報を、データ入出力インターフェイス４１０にて画面表示信号２に変換して画面表示装置１００に表示する。図２（ａ）の動作により、解析手段６００を動作させるために必要なデータ項目をデータ項目表示画面２００に表示でき、ユーザーにデータ入力を促すことができる。
【００３０】
図２（ｂ）は、解析実行ボタン３１０をクリックした時のデータ入力支援装置４００の動作フローチャート図である。ステップ２１００では、データ項目表示画面２００に入力されたデータを、データ入出力インターフェイス４１０を介してデータ入力支援装置８００に取り込む。ステップ２１１０では、解析条件作成手段５００を動作させて解析条件を作成し、作成した解析条件をデータ入力支援装置８００に保存する。ステップ２１２０では、データ入力支援装置データベース８００に保存されている解析条件に対して、解析手段６００を動作させて出力値を計算する。ステップ２１３０では、ステップ２１２０での計算結果を、データ入力支援装置データベース８００に保存する。ステップ２１４０では、データ入力支援装置データベース８００に保存された情報をデータ入出力インターフェイス４１０にて画面表示信号２に変換して画面表示装置１００のデータ列２６０、及び出力値表示画面１１０に表示する。図２（ｂ）の動作により、データ入力値の不確かさが出力値に与える影響をデータ列２６０に表示し、本情報をユーザーに提供できる。
【００３１】
図２（ｃ）は、優先順位並べ替えボタン３２０をクリックした時のデータ入力支援装置４００の動作フローチャート図である。ステップ２２００では、優先順位評価手段７００はデータ入力支援装置データベース８００に保存された情報を抽出する。ステップ２２１０では、優先順位評価手段７００にて解析結果に基づいてデータ項目を並べ替える。例えば、出力変動幅の大きい順番にデータ項目を並べ替える。データ項目を並べ替えた結果は、データ入力支援装置データベース８００に保存する。ステップ２２２０では、データ入力支援装置データベース８００に保存された情報に従ってデータ項目を並べ替え、データ項目表示画面２００に表示する。図２（ｃ）の動作により、入力の優先順位の高いデータ項目が表示されるため、入力すべきデータ項目が明確になる。また、入力すべきデータ項目が明確になり、情報収集に要する時間を短縮できる効果も得られる。
【００３２】
図３はデータ入力支援装置データベース８００に保存されるデータの態様を説明する図と、解析条件作成手段５００がステップ２１１０で解析条件を作成する動作を説明するフローチャート図である。
【００３３】
図３（ａ）は、データ入力支援装置データベース８００に保存されるデータの態様を説明する図である。表８０１に示すように、データ入力支援装置データベース８００にはデータ項目表示画面２００に表示するデータ、解析手段６００を動作させるために必要なデータ、表８０２に示すように解析条件作成手段５００で作成した解析条件のリストなど、データ入力支援装置４００を動作させるのに必要な情報が保存されている。
【００３４】
図３（ｂ）は、解析条件作成手段５００がステップ２１１０で解析条件を作成する動作を説明するフローチャート図である。ステップ２３００では、解析条件の基準値を計算する。ここで基準値とは、例えば固定値が入力されている場合はその値、変化範囲が入力されている場合はその中間値として、解析の基準となる出力値を計算するための解析条件である。ステップ２３１０では、確認するデータ項目を設定する。ステップ２３２０では、変化範囲の考慮要否を判定する。変化範囲が入力されている場合はステップ２３３０に進み、固定値が入力されている場合はステップ２３４０に進む。ステップ２３３０では、ステップ２３１０で選定したデータ項目について、変化範囲の最大値とした場合の解析条件と、変化範囲の最小値とした場合の解析条件を追加する。ステップ２３４０では、全データ項目を確認したかどうかを評価し、データ項目が残っている場合にはステップ２３１０に戻り、全データ項目の確認が完了した場合は終了に進む。
【００３５】
データ項目表示画面２００のデータ列２６０には、各データ項目について変化範囲の最大値とした場合の解析条件と、変化範囲の最小値とした場合の解析条件で解析手段６００を用いて計算した結果を表示する。また、各データ項目について変化範囲の最大値とした場合の解析結果と、変化範囲の最小値とした場合の解析結果の差分をデータ項目表示画面２００に表示してもよい。
【実施例２】
【００３６】
図４は、本発明の第２の実施例であるデータ入力支援装置を説明するブロック図と、発電プラントの構成を説明するブロック図である。本実施例では、発電プラントの効率を計算してコストに与える影響を評価するために必要なデータ項目について、データ入力支援装置４００を用いている。
【００３７】
図４（ａ）は、本発明の第２の実施例であるデータ入力支援装置４００を説明するブロック図である。本実施例のデータ入力支援装置４００は、発電プラント１０００の運転情報３、及び設計情報データベース１１００に保存されている設計情報４の情報について、データ入出力インターフェイス４１０を介して送受信できる点で図１に示した構成と異なる。これらの情報は、データ入出力インターフェイス４１０を介してデータ入力支援装置４００の内部に取り込まれ、データ入力支援装置データベース８００に保存される。また、解析手段６００は、効率計算モデル６１０とコスト計算モデル６２０で構成する。効率計算モデル６１０では、機器毎の劣化特性を評価し、プラント全体の効率に与える影響を評価する。また、コスト計算モデル６２０では発電プラントの効率低下がコストにどの程度影響を与えるかを評価するモデルが搭載されている。
【００３８】
また、設計情報データベース１１００に保存されている設計情報に基づいて、データ値のデフォルト値を設定できる。また、設計情報データベース１１００に既設プラントの実績・設計情報を保存しておき、関連するデータ項目の変化範囲を抽出して、当該プラントにおけるデータ項目の変化範囲とすることもできる。
【００３９】
図４（ｂ）は、発電プラント１０００の実施例であるＣ／Ｃプラントの機器構成を示す図である。ガスタービン１０８０は、圧縮機１０１０、膨張機１０２０、燃焼器１０３０で構成する。ガスタービン１０８０では、圧縮機１０１０が空気を取り込んで圧縮し、次いで、燃焼器１０３０が圧縮空気と燃料を取り込んで燃焼ガスを生成し、膨張機１０２０が燃焼ガスを取り込んで動力を得る。ガスタービン１０８０の出力は、膨張機１０２０が出力した動力と、圧縮機１０１０が使用した動力の差分である。排熱回収ボイラ１０５０には熱交換器１０６０が備えられており、ガスタービン１０８０からの高温排ガスを用いて高温蒸気を生成する。蒸気タービン１０７０では、排熱回収ボイラ１０５０が生成した高温蒸気を取り込み動力を得る。復水器１０９０では、蒸気タービン１０７０の排気を取り込んで、冷却水と熱交換させることにより、蒸気を水に凝縮させる。発電機１０４０では、ガスタービン１０８０と蒸気タービン１０７０の出力を用いて発電する。
【００４０】
このように、コンバインド発電プラントは、ガスタービン、排熱回収ボイラ、蒸気タービンが相互に関係するため、機器単体の効率が低下した場合でも、プラント全体に与える影響を考慮する必要がある。効率計算モデル６１０では、ガスタービン、排熱回収ボイラ、蒸気タービンの機能を有するヒートバランスモデルを装備する。また、ヒートバランスモデルを用いて、ガスタービン圧縮機の効率低下による燃料流量の増加量を算出する。
【００４１】
効率計算モデル６１０を実装する方法として、例えば特開２００４−２１１５８７号公報に記載されている機器毎の効率を計算する方法、プラントのヒートバランスを計算する方法を用いることができる。
【００４２】
この処理のために、データ入力支援装置データベース８００には、プラントの設計情報が保存されている。ここでプラントの設計情報とは、圧縮機仕様情報、膨張機仕様情報、発電機仕様情報、排熱回収ボイラ仕様情報である。
【００４３】
ここで、圧縮機仕様情報は、圧縮機の吸気流量及び、圧縮機の効率、又は大気条件情報と吸気流量情報と組み合わせて空力計算することにより圧縮機効率が算出可能な圧縮機の物理的形状の情報である。圧縮機の物理的形状の情報は具体的には、例えば、圧縮機の段数、代表径、各段の動翼・静翼の寸法径や形状、空気の通過経路の寸法・形状、空気と翼で形成される速度三角形の設計値、のうち少なくとも１ つを含むものである。
【００４４】
タービン仕様情報は、タービン効率又は、タービン流入ガスの温度・圧力・比熱の情報と組み合わせて空力計算することによりタービン効率が算出可能なタービンの物理的形状の情報である。タービンの物理的形状の情報は具体的には、例えば、タービンの段数、代表径、各段の動翼・静翼の寸法径や形状、燃焼ガスの通過経路の寸法・形状、空気と翼で形成される速度三角形の設計値、冷却空気流量の設計値のうち少なくとも１ つを含むものである。
【００４５】
燃焼器仕様情報は、燃焼器の燃焼効率及び燃焼温度、冷媒噴射量等の情報である。
【００４６】
排熱回収ボイラ仕様情報は、熱交換器の伝熱面積、熱交換器を構成するチューブの間隔、チューブ半径のうち、少なくとも１つを含むものである。
【００４７】
本実施例では、圧縮機仕様情報、膨張機仕様情報、発電機仕様情報、排熱回収ボイラ仕様情報に関するデータ項目が、データ項目表示画面２００に表示される。
【００４８】
尚、効率計算モデルの実装方法は、本手法に限定されない。
【００４９】
コスト計算モデル６２０では、効率低下によって増加する燃料消費量に燃料コストを乗じることにより、効率低下による運転コスト増加幅を計算する。この処理のために、データ入力支援装置データベース８００には、購入時期に応じた燃料の価格を時系列データとして格納している。また、コスト計算モデル６２０では、燃料コストの増加量を用いて、累積損失コストを算出する。累積損失コストは、燃料コスト増加量のトレンドを積分することにより得られる。尚、コスト計算モデル６２０の実装方法は本実施例に記載した方法に限定されない。
【００５０】
図５は、解析手段６００の動作を説明するフローチャート図と、累積損失コストの経時変化を示す図である。
【００５１】
図５（ａ）は、実施例２におけるデータ入力支援装置について、解析手段６００の動作を説明するフローチャート図である。尚、本フローチャートは、図２（ｂ）のステップ２１２０に相当する部分である。ステップ２４００〜ステップ２４２０は効率計算モデル６１０、ステップ２４３０はコスト計算モデル６２０を用いて実行する。
【００５２】
ステップ２４００では、データ入力支援装置データベース８００の情報を用いて、各機器の効率を計算する。ステップ２４１０では、プラントのヒートバランスを求め、プラント全体の効率を計算する。
【００５３】
ステップ２４２０では、効率低下による燃料流量の増加量を算出する。
【００５４】
ステップ２４３０では、コスト計算モデル６２０を用いて、効率計算モデル６１０を用いて算出した燃料流量の増加量に対し、燃料価格を乗じて燃料コストの増加量、及び累積損失コストを算出する。ステップ２４４０では、全条件解析したかどうかを判定し、全条件の解析が完了していない場合はステップ２４００に戻り、全条件の解析が完了した場合は終了に進む。
【００５５】
図５（ｂ）は、ステップ２４３０で算出した累積損失コストの経時変化を示す図である。
データに変化範囲があるため、将来の累積コストの予測値に幅が生じる。この結果は、画面表示装置１００に表示できる。
【００５６】
図６は排熱回収ボイラ１０５０の構成と、データ入力支援装置データベース８００に保存されているデータの態様を説明する図である。
【００５７】
図６（ａ）は、排熱回収ボイラ１０５０の構成を説明する図である。熱交換器１１００が排熱回収ボイラ１０５０内に複数台配置されており、温度センサー１２００、圧力センサー１３００で蒸気温度、蒸気圧力、ガス温度を計測する構成となっている。
【００５８】
これらのセンサーの仕様として測定範囲、計測誤差などがあり、目的に応じてセンサーを設置している。
【００５９】
図６（ｂ）は、データ入力支援装置データベース８００に保存されているデータの態様を説明する図である。図６（ｂ）に示すようにデータ入力支援装置データベース８００には計測位置と使用するセンサーの候補が対応付けられて保存されている。
【００６０】
図７は、解析条件作成手段５００の動作フローチャートを説明する図と、センサコストと評価誤差の関係を示す図である。
【００６１】
図７（ａ）は解析条件作成手段５００の動作フローチャートを説明する図である。ステップ２５００ではデータ項目に関する解析条件を作成する。ステップ２５００は、図３（ｂ）に示したステップ２３００〜ステップ２３４０を組み合わせたフローチャート図と同じである。ステップ２５１０では、確認する計測位置を設定する。ステップ２５２０では、センサーの有無を判定する。センサー有りの場合はステップ２５３０に進み、センサー無しの場合はステップ２５４０に進む。ステップ２５３０では、計測誤差の最大値、及び最小値について解析条件を追加する。ステップ２５４０では、計測値を推定するモデルの推定誤差の最大値、及び最小値について解析条件を追加する。ステップ２５５０では全計測位置を確認したかどうか評価し、全計測位置を確認していない場合はステップ２５１０に戻り、全計測位置を確認した場合は終了に進む。
【００６２】
図７（ｂ）は、センサコストと評価誤差の関係を示す図である。計測情報がないことで、モデルの推定精度が低下する。推定精度低下が評価誤差、すなわちコストの推定誤差に与える影響を把握できる。
【００６３】
尚、本実施例では、発電プラントの効率を計算してコストに与える影響を評価するために必要なデータ項目について、データ入力支援装置４００を用いているが、プラントの形態、評価する内容について任意に設定してもよい。
【００６４】
例えば、実施例２では火力発電プラントを対象に効率を評価するが自然エネルギープラント、原子力プラント、原油・ガス生成プラントなどを対象としてもよい。また、蒸気温度、メタル温度などの情報に基づいて、機器の余寿命を評価するようにしてもよい。また、生成される物質の収率や純度などを評価するように構成してもよい。
【実施例３】
【００６５】
例えば定年後の資産運用をサポートする場合、退職金を試算する解析手段を顧客に提供するサービスがある。この場合、特開２００２−１０９２０１号公報に記載された技術を用いることにより、顧客が現在の給与などの情報を入力することで退職金を計算できる。
【００６６】
しかし、資産運用をサポートする会社では、退職金を資産する解析手段を動作させるのに必要なデータだけでなく、顧客の氏名や住所など、営業上入手が必要な情報がある。これらの情報を入手するため、本発明の第３の実施形態のデータ入力支援装置４００では、データ項目の属性に応じて優先順位を決定する。
【００６７】
図８は、本発明の第３の実施形態における優先順位並べ替え手段７００の動作を説明するフローチャート図と、データ入力支援装置データベース８００に保存されるデータの態様を説明する図である。
【００６８】
図８（ａ）は、優先順位並べ替え手段７００の動作を説明するフローチャート図であり、図２（ｃ）のステップ２２００、ステップ２２２０とステップ２６００、ステップ２６２０はそれぞれ同じ動作である。本フローチャートのステップ２６１０では、解析結果およびデータ属性に基づきデータ項目を並べ替えており、ステップ２２１０とはデータ属性に基づいてデータ項目を並べ替える点で異なる。ここで、データ属性とは、データ項目に入力された情報が出力計算に用いるデータであるか、営業のために入手したいデータであるかなど、データの使用方法に関する性質を判別するための情報である。ステップ２６１０で例えば営業のために入手したいデータの優先順位を高くする。
【００６９】
図８（ｂ）は、データ入力支援装置データベース８００に保存されるデータの態様を説明する図である。図８（ｂ）に示すように、データ項目毎にデータ属性を設定できるようになっている。
【００７０】
このように、本実施例のデータ入力支援装置４００では、営業のために入手したいデータの優先順位を高くすることで、画面表示装置１００に本データ項目の情報を優先して入力するようにユーザーに促すことが可能となる。
本発明は、データ入力支援装置として、幅広く適用可能である。
【符号の説明】
【００７１】
１  外部入力信号
２  画面表示信号
１００  画面表示装置
１１０  出力値表示装置
２００  データ項目表示画面
２１０，２２０，２３０，２４０，２５０，２６０  データ列
３００  動作コマンド表示画面
３１０  解析実行ボタン
３２０  優先順位並べ替えボタン
４００  データ入力支援装置
４０１  データ入力支援装置情報
４１０  データ入出力インターフェイス
５００  解析条件作成手段
６００  解析手段
７００  優先順位評価手段
８００  データ入力支援装置データベース
９００  外部入力装置
９１０  キーボード
９２０  マウス
【図１】
0006453073.tif 000002
【図２】
0006453073.tif 000003
【図３】
0006453073.tif 000004
【図４】
0006453073.tif 000005
【図５】
0006453073.tif 000006
【図６】
0006453073.tif 000007
【図７】
0006453073.tif 000008
【図８】
0006453073.tif 000009